(57)【要約】      （修正有）【課題】素人でも簡単にツボの位置を把握し指圧をすることができるツボ表示具と、ツボ表示具を備えた衣類を提供する。【解決手段】ツボを押す順番を示す指圧番号表示部２ａ、ツボを押す強さを示す指圧強さ表示部２ｂ、ツボを押す方法を示す指圧方法表示部２ｃ及びツボを押す時間を示す指圧時間表示部２ｄを表面に表示した円形の表示板２からなることを特徴とするツボ表示具１の構成とした。ツボ表示具１は、衣類として靴下、手袋、シャツ、ズボンに取り付けられて使用される。【選択図】  図１
2008104702.tif 000002
【特許請求の範囲】
【請求項１】
ツボを押す順番を示す指圧番号表示部、ツボを押す強さを示す指圧強さ表示部、ツボを押す方法を示す指圧方法表示部、ツボを押す時間を示す指圧時間表示部を表面に表示した表示板からなることを特徴とするツボ表示具。
【請求項２】
表示板を円形又は多角形のいずれかとしたことを特徴とする請求項１に記載のツボ表示具。
【請求項３】
請求項１に記載のツボ表示具を靴下の表面に取り付けたことを特徴とするツボ表示具を備えた衣類。
【請求項４】
請求項１に記載のツボ表示具を手袋の表面に取り付けたことを特徴とするツボ表示具を備えた衣類。
【請求項５】
請求項１に記載のツボ表示具をシャツの表面に取り付けたことを特徴とするツボ表示具を備えた衣類。
【請求項６】
請求項１に記載のツボ表示具をズボンの表面に取り付けたことを特徴とするツボ表示具を備えた衣類。
【請求項７】
ツボ表示具を取り付けた位置の内面側に指圧体を備えたことを特徴とする請求項２乃至請求項５に記載のツボ表示具を備えた衣類。
【発明の詳細な説明】
【技術分野】
【０００１】
本発明は、素人でも簡単にツボの位置を把握し指圧をすることができるツボ表示具と、ツボ表示具を備えた衣類に関する発明である。
【背景技術】
【０００２】
従来、簡単にツボの位置を知ることができ、素人でもツボ押しをすることができるものには、特許文献に示すような靴下の底面にツボの位置を表示したものや、手袋の掌にツボの位置を表示したものであった。
【０００３】
しかしながら、従来のツボの位置を表示した靴下や手袋などは、足裏側や掌側にしかツボ表示がされておらず、人間の体中に存在するツボの一部にしか対応することができなかった。
【０００４】
また、足の大きさや手の大きさは使用する人によって異なるため、使用する人によっては位置がずれており効果がない場合もあった。
【特許文献１】実開平３−８８５３０号公報
【発明の開示】
【発明が解決しようとする課題】
【０００５】
そこで、本発明は、あらゆる人に対応することができ、従来よりも広範囲に渡ってツボの位置を簡単に知ることができ、素人でも簡単に効果的なツボ押しをすることができるツボ表示具及びツボ表示具を備えた衣類を提供することを目的とするものである。
【課題を解決するための手段】
【０００６】
本発明は、上記の課題を解決するために、ツボを押す順番を示す指圧番号表示部２ａ、ツボを押す強さを示す指圧強さ表示部２ｂ、ツボを押す方法を示す指圧方法表示部２ｃ及びツボを押す時間を示す指圧時間表示部２ｄを表面に表示した円形の表示板２からなることを特徴とするツボ表示具１の構成とした。
【発明の効果】
【０００７】
本発明のツボ表示具及びツボ表示具を備えた衣類は、ツボ表示具に指圧順番を示す指圧番号、指圧の強さ、指圧方法、指圧時間が表示されているため、素人であってもツボの位置は勿論のこと、指圧の強さ、方法、時間を知ることができ、簡単に効果的な指圧をすることができる。
【０００８】
また、ツボ表示具の取り付け位置を任意に変えることができるため、足や手など人によって大きさが異っている部分であっても使用者に合わせて変更することができ子供から大人まで使用することができる。
【発明を実施するための最良の形態】
【０００９】
大人から子供まで使用することができ、誰でも簡単に効果的な指圧をおこなうことができるという目的を、指圧番号、指圧強さ、指圧方法及び指圧時間を表示したツボ表示具と、ツボ表示具を衣類に取り付けることによって実現した。
【実施例１】
【００１０】
図１は本発明であるツボ表示具の正面図、図２はツボ表示具のＡ−Ａ線断面図である。図１及び図２に示すように、本発明であるツボ表示具１は、ツボを押す順番を示す指圧番号表示部２ａ、ツボを押す強さを示す指圧強さ表示部２ｂ、ツボを押す方法を示す指圧方法表示部２ｃ、ツボを押す時間を示す指圧時間表示部２ｄを表面に表示した円形の表示板２からなる。
【００１１】
前記表示板２の基本的な形状は円形としたが、特に円形に限定したものではなく、楕円形や四角形などでも良く、多角形であってもよいものとする。また、図１に示すように、表示板２の上部に指圧番号表示部２ａ、下部に指圧時間表示部２ｄ、中央部左右に指圧強さ表示部２ｂ及び指圧方法表示部２ｃを配置したが、各表示部の位置は限定されたものではなく変更しても構わない。
【００１２】
図２に示すように、表示板２は平板状をしており、ツボを指圧する場合に表示板２の上から指圧するため材質としては上部で柔らかいものが好ましい。また、表示板２を衣類に取り付ける際は、縫い付けを予定しているが、接着剤による貼付けや付け外しが自由なマジックテープ（登録商標）などでも良い。
【実施例２】
【００１３】
図３はね本発明であるツボ表示具を取り付けた靴下の斜視図である。本発明であるツボ表示靴下１ａは、靴下３に前記ツボ表示具１を取り付けたものである。図３に示すように、靴下３の表面にツボ表示具１を取付け、取り付けたツボ表示具１の上から足を指圧することにより足に存在するツボを簡単に刺激することができる。
【００１４】
図３に示したツボ表示具１の取り付け位置及び取付け数は、限定したものではなく、別の場所であっても構わない。
【実施例３】
【００１５】
図４は、本発明であるツボ表示具を取り付けた手袋の斜視図である。本発明であるツボ表示手袋１ｂは、手袋４に前記ツボ表示具１を取り付けたものである。図４に示すように、手袋４の表面にツボ表示具１を取付け、取り付けたツボ表示具１の上から掌を指圧することにより手に存在するツボを簡単に刺激することができる。
【００１６】
図４に示したツボ表示具１の取り付け位置及び取付け数は、限定したものではなく、別の場所であっても構わない。
【実施例４】
【００１７】
図５は、本発明であるツボ表示具を取り付けたシャツの正面図である。本発明であるツボ表示シャツ１ｃは、シャツ５に前記ツボ表示具１を取り付けたものである。図５に示すように、シャツ５の表面に前記ツボ表示具１を取付け、取り付けたツボ表示具１の上から体を指圧することにより上半身に存在するツボを簡単に刺激することができる。
【００１８】
図５に示したツボ表示具１の取り付け位置及び取付け数は、限定したものではなく、別の場所であっても構わない。
【実施例５】
【００１９】
図６は、本発明であるツボ表示具を取り付けたズボンの正面図である。本発明であるツボ表示ズボン１ｄは、ズボン６に前記ツボ表示具１を取り付けたものである。図６に示すように、ズボン６の表面に前記ツボ表示具１を取付け、取り付けたツボ表示具１の上から足を指圧することにより下半身に存在するツボを簡単に刺激することができる。
【００２０】
図６に示したツボ表示具１の取り付け位置及び取付け数は、限定したものではなく、別の場所であっても構わない。
【実施例６】
【００２１】
図７は、本発明であるツボ表示具を取り付けた靴下の第２実施例である。本発明であるツボ表示靴下１ｅは、靴下７の表面側に前記ツボ表示具１を取付け、更に前記ツボ表示具１を取り付けた位置の靴下７の内面側に指圧体２ｆを取り付けたものである。
【００２２】
靴下７の内面側に取り付けられた前記指圧体２ｆは、内布２ｅにより取り付けられており、指圧面が足ツボに当たるように取り付けられている。よって図７では、指圧体２ｆを半球体としたため、曲面が足側に向き、平面がツボ表示具１側を向いた状態となっている。
【００２３】
尚、前記指圧体２ｆは半球体に限定したものではなく、ツボを刺激し易い形状であれば球体や他の形状であっても良いものとする。また、ツボ表示靴下１ｅのように、前記ツボ表示手袋１ｂ、ツボ表示シャツ１ｃ、ツボ表示ズボン１ｄのツボ表示具１を取り付けた位置の内面側に前記指圧体２ｆを取付けても良い。
【００２４】
次に図８から図１３を使用して、本発明である各ツボ表示衣類を使った各症状を改善するためのツボ押し手順を説明することとする。
【００２５】
図８は、本発明であるツボ表示具を取り付けた衣類を使用してニキビを治すツボ押しの手順を表した図である。
【００２６】
図８に示すように、ニキビを治すツボ押し８にはツボ表示手袋１ｂを使用する。ニキビを治すツボ押し８の場合、ツボ表示手袋１ｂの甲側にある「合谷」の位置と、掌側にある「内関」の位置にツボ表示具１を取り付ける。
【００２７】
「合谷」及び「内関」は共にツボの名称である。「合谷」は手の甲側で親指と人差し指の股を指で押上げて止まった位置にあるツボのことを指し、「内関」は掌側で手首の中央から肘に向かって２寸の位置にあるツボのことを指す。
【００２８】
「合谷」に取り付けたツボ表示具１の指圧番号表示部２ａには「１番」と記載され、指圧強さ表示部２ｂには「強」、指圧方法表示部２ｃには「押」、指圧時間表示部２ｄには「２分」と記載されている。
【００２９】
一方、「内関」に取り付けたツボ表示具１の指圧番号表示部２ａには「２番」、指圧強さ表示部２ｂには「強」、指圧方法表示部２ｃには「押」、指圧時間表示部２ｄには「２分」と記載されている。
【００３０】
各指圧表示具１に従い、まず、手の甲側「合谷」のツボを強く、押す方法で２分間指圧する。次に掌側「内関」のツボを強く、押す方法で２分間指圧する。以上のように決められたツボを指示通り指圧することでニキビを治すツボ押し８を実践することができる。
【００３１】
図９は、本発明であるツボ表示具を取り付けた衣類を使用して膨ら脛のシェイプアップのツボ押しの手順を表した図である。
【００３２】
図９に示すように、膨ら脛のシェイプアップのツボ押し８ａにはツボ表示ズボン１ｄを使用する。膨ら脛のシェイプアップのツボ押し８ａの場合、ツボ表示ズボン８ａのお尻側にある「承扶」の位置、膝の裏側にある「委中」の位置、膨ら脛の中央にある「承山」の位置及びツボ表示ズボン１ｄの前側にある「足三里」の位置にツボ表示具１を取り付ける。
【００３３】
「承扶」「委中」「承山」「足三里」は全てツボの名称である。「承扶」はお尻と太腿の付け根にあるツボ、「委中」は膝裏の一番窪んだ所にあるツボ、「承山」は膨ら脛中央部の筋肉に力を入れると丁度山のような形に窪みができる山頂部にあるツボ、「足三里」は膝頭のお皿を同じ側の手で親指と人差し指で軽く囲み人差し指が向こう脛の中心に来るようにし軽く中指を添えたとき丁度中指の先があたる所にあるツボを指す。
【００３４】
「承扶」に取り付けたツボ表示具１の指圧番号表示部２ａには「１番」と記載され、指圧強さ表示部２ｂには「強」、指圧方法表示部２ｃには「押／揉」、指圧時間表示部２ｄには「３分」と記載されている。
【００３５】
「委中」に取り付けたツボ表示具１の指圧番号表示部２ａには「３番」と記載され、指圧強さ表示部２ｂには「強」、指圧方法表示部２ｃには「押／揉」、指圧時間表示部２ｄには「３分」と記載されている。
【００３６】
「承山」に取り付けたツボ表示具１の指圧番号表示部２ａには「２番」と記載され、指圧強さ表示部２ｂには「強」、指圧方法表示部２ｃには「押／揉」、指圧時間表示部２ｄには「３分」と記載されている。
【００３７】
「足三里」に取り付けたツボ表示具１の指圧番号表示部２ａには「４番」と記載され、指圧強さ表示部２ｂには「強」、指圧方法表示部２ｃには「押／揉」、指圧時間表示部２ｄには「３分」と記載されている。
【００３８】
各指圧表示具１に従い、まず、お尻と太腿の付け根にある「承扶」のツボを強く、押す又は揉む方法で３分間指圧し、次に膨ら脛中央にある「承山」のツボを強く、押す又は揉む方法で３分間指圧する。次に膝裏の「委中」のツボを強く、押す又は揉む方法で３分間指圧し、最後に脛付近にある「足三里」のツボを強く、押す又は揉む方法で３分間指圧する。以上のように決められたツボを指示通り指圧することで膨ら脛のシェイプアップのツボ押し８ａを実践することができる。
【００３９】
図１０は本発明であるツボ表示具を取り付けた衣類を使用して冷え性を治すツボ押しの手順を表した図である。
【００４０】
図１０に示すように、冷え性を治すツボ押し８ｂにはツボ表示シャツ１ｃを使用する。冷え性を治すツボ押し８ｂの場合、ツボ表示シャツ１ｃ背中側にある「命門」及び「腎兪」の位置と、お腹側にある「中完」の位置にツボ表示具１を取り付ける。
【００４１】
「命門」「腎兪」及び「中完」は共にツボの名称である。「命門」はお臍の正反対側にあるツボ、「腎兪」は「命門」から左右に１寸５分の位置にあるツボ、「中完」はお臍とみぞおちの真ん中にあるツボを指す。
【００４２】
「命門」に取り付けたツボ表示具１の指圧番号表示部２ａには「１番」と記載され、指圧強さ表示部２ｂには「中」、指圧方法表示部２ｃには「叩」、指圧時間表示部２ｄには「５分」と記載されている。
【００４３】
一方、「腎兪」に取り付けたツボ表示具１の指圧番号表示部２ａには「２番」、指圧強さ表示部２ｂには「中」、指圧方法表示部２ｃには「叩」、指圧時間表示部２ｄには「５分」と記載されている。
【００４４】
「中完」に取り付けたツボ表示具１の指圧番号表示部２ａには「３番」と記載され、指圧強さ表示部２ｂには「中」、指圧方法表示部には「押」、指圧時間表示部２ｄには「３分」と記載されている。
【００４５】
各指圧表示具１に従い、まず、背中側の「命門」のツボを中程度の強さで、叩く方法で５分間指圧する。次に同じく背中側の「腎兪」のツボを中程度の強さで、叩く方法で５分間指圧し、最後にお腹側の「中完」のツボを中程度の強さで、押す方法で３分間指圧する。以上のように決められたツボを指示通り指圧することで冷え性を治すツボ押し８ｂを実践することができる。
【００４６】
図１１は、本発明であるツボ表示具を取り付けた衣類を使用して肩こりを治すツボ押しの手順を表した図である。
【００４７】
図１１に示すように、肩こりを治すツボ押し８ｃにはツボ表示靴下１ａを使用する。肩こりを治すツボ押し８ｃの場合、ツボ表示靴下１ａの足裏にある「僧帽筋に効くツボ」「肩に効くツボ」及び「首に効くツボ」の位置にツボ表示具１を取り付ける。
【００４８】
「僧帽筋に効くツボ」は両足裏の人差し指から薬指に渡った根本付近にあるツボ、「肩に効くツボ」は両足裏の小指の根本付近にあるツボ、「首に効くツボ」は両足裏の親指の根本付近にあるツボを指す。
【００４９】
「僧帽筋に効くツボ」に取り付けたツボ表示具１ｆの指圧番号表示部２ａには「１番」と記載され、指圧強さ表示部２ｂには「強」、指圧方法表示部２ｃには「押」、指圧時間表示部２ｄには「２分」と記載されている。尚、僧帽筋に効くツボは広範囲であるため円形の表示板ではなく横長の楕円形をした表示板２ｇとした。
【００５０】
一方、「肩に効くツボ」に取り付けたツボ表示具１の指圧番号表示部２ａには「２番」、指圧強さ表示部２ｂには「中」、指圧方法表示部２ｃには「押」、指圧時間表示部２ｄには「２分」と記載されている。
【００５１】
「首に効くツボ」に取り付けたツボ表示具１の指圧番号表示部２ａには「３番」と記載され、指圧強さ表示部２ｂには「中」、指圧方法表示部には「押」、指圧時間表示部２ｄには「２分」と記載されている。
【００５２】
各指圧表示具１に従い、まず、「僧帽筋に効くツボ」を強く、押す方法で２分間指圧する。次に「肩に効くツボ」を中程度の強さで、押す方法で２分間指圧し、最後に「首に効くツボ」を中程度の強さで、押す方法で２分間指圧する。以上のように決められたツボを指示通り指圧することで肩こりを治すツボ押し８ｃを実践することができる。
【００５３】
図１２は、本発明であるツボ表示具を取り付けた衣類を使用して肩こりを治すツボ押しの手順を表した図である。
【００５４】
図１２に示した肩こりを治すツボ押し８ｄは、図１１で示した肩こりを治すツボ押し８ｃとは別のツボを利用した方法である。図１２に示した肩こりを治すツボ押し８ｄにはツボ表示シャツ１ｃとツボ表示手袋１ｂを使用する。肩こりを治すツボ押し８ｄの場合、ツボ表示シャツ１ｃの腕にある「手三里」及び鎖骨近くの「中府」の位置と、ツボ表示手袋１ｂにある前記「合谷」の位置にツボ表示具１を取り付ける。
【００５５】
「手三里」「中府」及び「合谷」は共にツボの名称である。「手三里」は肘を曲げた際にできる皺の上側の先端から人差し指に向かって２寸の所にあるツボ、「中府」は鎖骨の偏りの出っ張りから２寸下がった所にあるツボ、「合谷」は手の甲側で親指と人差し指の股を指で押上げて止まった位置にあるツボを指す。
【００５６】
「手三里」に取り付けたツボ表示具１の指圧番号表示部２ａには「１番」と記載され、指圧強さ表示部２ｂには「強」、指圧方法表示部２ｃには「押」、指圧時間表示部２ｄには「１分」と記載されている。
【００５７】
一方、「中府」に取り付けたツボ表示具１の指圧番号表示部２ａには「２番」、指圧強さ表示部２ｂには「中」、指圧方法表示部２ｃには「揉／押」、指圧時間表示部２ｄには「１分」と記載されている。
【００５８】
「合谷」に取り付けたツボ表示具１の指圧番号表示部２ａには「３番」と記載され、指圧強さ表示部２ｂには「強」、指圧方法表示部には「押」、指圧時間表示部２ｄには「１分」と記載されている。
【００５９】
各指圧表示具１に従い、まず、腕にある「手三里」のツボを強く、押す方法で１分間指圧する。次に鎖骨近くにある「中府」のツボを中程度の強さで、揉む又は押す方法で１分間指圧し、最後に手の甲にある「合谷」のツボを強く、押す方法で１分間指圧する。以上のように決められたツボを指示通り指圧することで肩こりを治すツボ押し８ｄを実践することができる。尚、図１２に示した肩こりを治すツボ押し８ｄは、３回繰り返すのが好ましいとされる場合があり、その場合は、３回繰り返す旨をツボ表示具１に記載しても良い。
【００６０】
図１３は、本発明であるツボ表示具を取り付けた衣類を使用して生理不順を直すツボ押しの手順を表した図である。
【００６１】
図１３に示すように生理不順を治すツボ押し８ｅにはツボ表示靴下１ａとツボ表示ズボン１ｄを使用する。生理不順を治すツボ押し８ｅの場合、ツボ表示靴下１ａの足首にある「三陰交」、足裏にある「公孫」、足の甲にある「行間」の位置と、ツボ表示ズボン１ｄにある「陰陵泉」の位置にツボ表示具１を取り付ける。
【００６２】
「三陰交」「公孫」「行間」及び「陰陵泉」は共にツボの名称である。「三陰交」は内踝の上端から骨に沿って上に３寸の位置にあるツボ、「公孫」は足裏にあり親指の内側にある大きな骨から踵に向かって１寸の位置にあるツボ、「行間」は足の甲側で親指と人差し指の付け根にあるツボ、「陰陵泉」は足の内踝から骨に沿って指を擦り上げ膝の手前で盛り上がっている骨の下にあるツボを指す。
【００６３】
「三陰交」に取り付けたツボ表示具１の指圧番号表示部２ａには「１番」と記載され、指圧強さ表示部２ｂには「強」、指圧方法表示部２ｃには「押」、指圧時間表示部２ｄには「１分」と記載されている。
【００６４】
一方、「公孫」に取り付けたツボ表示具１の指圧番号表示部２ａには「２番」、指圧強さ表示部２ｂには「強」、指圧方法表示部２ｃには「押」、指圧時間表示部２ｄには「１分」と記載されている。
【００６５】
「行間」に取り付けたツボ表示具１の指圧番号表示部２ａには「４番」と記載され、指圧強さ表示部２ｂには「強」、指圧方法表示部には「押」、指圧時間表示部２ｄには「１分」と記載されている。
【００６６】
「陰陵泉」に取り付けたツボ表示具１の指圧番号表示部２ａには「３番」と記載され、指圧強さ表示部２ｂには「強」、指圧方法表示部には「押」、指圧時間表示部には「１分」と記載されている。
【００６７】
各指圧表示具１に従い、まず、足首付近にある「三陰交」のツボを強く、押す方法で１分間指圧する。次に足裏にある「公孫」のツボを強く、押す方法で１分間指圧し、次に膝近くにある「陰陵泉」のツボを強く、押す方法で１分間指圧する。最後に足の甲にある「行間」のツボを強く、押す方法で１分間指圧する。以上のように決められたツボを指示通り指圧することで生理不順を治すツボ押し８ｅを実践することができる。尚、図１３に示した生理不順を治すツボ押し８ｅは、３回繰り返すのが好ましいとされる場合があり、その場合は、３回繰り返す旨をツボ表示具１に記載しても良い。
【００６８】
以上のように、症状によっては決められたツボの指圧を繰り返すことが必要とされる場合もあり、その場合は、使用する各衣類に繰り返しの回数を記載しても良く、また、ツボ表示具１に指圧回数表示部を設けても良い。
【図面の簡単な説明】
【００６９】
【図１】本発明であるツボ表示具の正面図である。
【図２】本発明であるツボ表示具のＡ−Ａ線断面図である。
【図３】本発明であるツボ表示具を取り付けた靴下の斜視図である。
【図４】本発明であるツボ表示具を取り付けた手袋の斜視図である。
【図５】本発明であるツボ表示具を取り付けたシャツの正面図である。
【図６】本発明であるツボ表示具を取り付けたズボンの正面図である。
【図７】本発明であるツボ表示具を取り付けた靴下の第２実施例である。
【図８】本発明であるツボ表示具を取り付けた衣類を使用してニキビを治すツボ押しの手順を表した図である。
【図９】本発明であるツボ表示具を取り付けた衣類を使用して膨ら脛のシェイプアップのツボ押しの手順を表した図である。
【図１０】本発明であるツボ表示具を取り付けた衣類を使用して冷え性を治すツボ押しの手順を表した図である。
【図１１】本発明であるツボ表示具を取り付けた衣類を使用して肩こりを治すツボ押しの手順を表した図である。
【図１２】本発明であるツボ表示具を取り付けた衣類を使用して肩こりを治すツボ押しの手順を表した図である。
【図１３】本発明であるツボ表示具を取り付けた衣類を使用して生理不順を直すツボ押しの手順を表した図である。
【符号の説明】
【００７０】
１      ツボ表示具
１ａ    ツボ表示靴下
１ｂ    ツボ表示手袋
１ｃ    ツボ表示シャツ
１ｄ    ツボ表示ズボン
１ｅ    ツボ表示靴下
１ｆ    ツボ表示具
２      表示板
２ａ    指圧番号表示部
２ｂ    指圧強さ表示部
２ｃ    指圧方法表示部
２ｄ    指圧時間表示部
２ｅ    内布
２ｆ    指圧体
２ｇ    表示板
３      靴下
４      手袋
５      シャツ
６      ズボン
７      靴下
８      ニキビを治すツボ押し
８ａ    膨ら脛のシェイプアップのツボ押し
８ｂ    冷え性を治すツボ押し
８ｃ    肩こりを治すツボ押し
８ｄ    肩こりを治すツボ押し
８ｅ    生理不順を直すツボ押し
【図１】
2008104702.tif 000003
【図２】
2008104702.tif 000004
【図３】
2008104702.tif 000005
【図４】
2008104702.tif 000006
【図５】
2008104702.tif 000007
【図６】
2008104702.tif 000008
【図７】
2008104702.tif 000009
【図８】
2008104702.tif 000010
【図９】
2008104702.tif 000011
【図１０】
2008104702.tif 000012
【図１１】
2008104702.tif 000013
【図１２】
2008104702.tif 000014
【図１３】
2008104702.tif 000015